(57)【要約】【課題】製造コストの低減が図られるベース部材を備えた光ピックアップ装置を提供する。【解決手段】光ピックアップ装置３のベース部材４は、ベース本体５、第１軸受部および第２軸受部を備えて構成される。光学系部品８が搭載されるベース本体５の一端側に第１軸受部が形成され、他端側に第２軸受部が形成されている。第１軸受は主軸１３ａに軸支され、第２軸受部は副軸１３ｂに軸支される。第２軸受部は副軸１３ｂにそれぞれ接触する副軸受第１部と副軸受第２部から構成される。副軸受第２部は、副軸受第１部とはスライド方向に位置をずらして形成されている。【選択図】図１
2008299906.tif 000002
【特許請求の範囲】
【請求項１】
所定の光ディスクに情報を書き込んだり、光ディスクの情報を読み取ったりする光ピックアップ装置であって、
所定の光学系部品が搭載されるベース本体と、
前記ベース本体の一端側に形成され、光ディスクの径方向に配設される所定の主軸にスライド可能に支持される主軸受部と、
前記ベース本体の他端側に前記ベース本体から突出するように形成され、前記主軸と平行に配設される所定の副軸にスライド可能に接触する副軸受第１部と、
前記ベース本体の他端側に、前記ベース本体から突出するとともに前記副軸受第１部とは前記スライド方向に位置をずらして形成され、前記副軸にスライド可能に接触して前記副軸受第１部とで前記ベース本体の前記スライド方向と交差する方向の動きを規制する副軸受第２部と
を備えた、光ピックアップ装置。
【請求項２】
前記副軸受第２部は、前記副軸受第１部に対して、前記副軸受第１部と前記副軸受第２部との前記スライド方向の位置が一致した状態から前記副軸受第１部における前記スライド方向の長さの分だけ位置をずらされた、請求項１記載の光ピックアップ装置。
【請求項３】
前記副軸受第１部の先端と前記副軸受第２の先端とは、開放される態様で繋がらないように形成された、請求項１または２に記載の光ピックアップ装置。
【請求項４】
前記光学系部品は、前記ベース本体における光ディスク側と光ディスク側とは反対側の双方の側に配設された、請求項１〜３のいずれかに記載の光ピックアップ装置。
【請求項５】
前記主軸受部は筒状である、請求項１〜４のいずれかに記載の光ピックアップ装置。
【発明の詳細な説明】
【技術分野】
【０００１】
本発明は光ピックアップ装置に関し、特に、光学系部品が搭載されるベース部材を備えた光ピックアップ装置に関するものである。
【背景技術】
【０００２】
ＤＶＤ（Digital Versatile Disc）装置などの光ディスク装置には、光ディスクに記録された情報を読み取ったり、光ディスクに情報を書き込んだりするのに光ピックアップ装置が用いられている。図８に示すように、光ピックアップ装置１０３では、レーザダイオードなどの発光素子、発光素子から発せられた光を光ディスクにまで導くミラーおよびレンズ、光ディスクに照射されて反射した光を受光するフォトダイオードなどの受光素子等を含む一連の光学系部品１０８が所定のベース部材１０５に搭載されている。そのベース部材１０５はガイドレール１１３（主軸１１３ａ、副軸１１３ｂ）に取付けられて、光ディスク１０２の径方向（矢印１２０）にスライド可能とされる。
【０００３】
光ディスク装置では、回転する光ディスク１０２に対して径方向に光ピックアップ装置１０３をスライドさせながら所定の光を光ディスク１０２に照射することによって、光ディスク１０２に情報が書き込まれることになる。また、光ディスク１０２に照射されて反射した光を受光することによって、光ディスク１０２に記録された情報が読み取られることになる。
【０００４】
次に、光学系部品１０８が搭載されるベース部材１０４について詳しく説明する。まず、図９、図１０および図１１に示すように、ベース部材１０４は、ベース本体１０５、第１軸受部１０６および第２軸受部１０７を備えて構成される。ベース本体１０５には光学系部品が搭載される。第１軸受部１０６はベース本体１０５の一端側に形成されている。第２軸受部１０７はベース本体１０５の他端側に形成されている。ベース部材１０４のスライド動作を案内するガイドレールとして、主軸１１３ａと副軸１１３ｂとがある。第１軸受部１０６はその主軸１１３ａに軸支され、第２軸受部１０７は副軸１１３ｂに軸支される。
【０００５】
第１軸受部１０６は、主軸１１３ａとの位置精度を確保するために筒状とされる。第２軸受部１０７は副軸１１３ｂにそれぞれ接触する副軸受第１部１０７ａと副軸受第２部１０７ｂから構成される。副軸受第１部１０７ａと副軸受第２部１０７ｂとの間に副軸１１３ｂを挟み込むことで、副軸１１３ｂと交差する方向のベース部材１０５の動きが規制されることになる。また、図１２に示すように、副軸受第２部１０７ｂは、ベース本体１０５を裏側に向けた状態で所定の光学系部品をベース本体１０５に取り付け作業を行なう際に、ベース本体１０５を保持する役目も担っている。なお、この場合には、第１軸受部１０６は、治具としての軸１１７ａに軸支され、第２軸受部１０７は、軸１１７ｂに軸支されることになる。
【０００６】
上述したベース部材１０４は、樹脂を成型することによって形成される。そこで、次に、その成型金型について説明する。図１３に示すように、ベース部材を成型する成型金型１１４は、下金型１１４ａ、上金型１１４ｂ、第１スライドコア１１４ｃ、第２スライドコア１１４ｄ、第３スライドコア１１４ｅおよび第４スライドコア１１４ｆの６つの金型から構成される。下金型１１４ａと上金型１１４ｂにより、光学系部品が搭載されるベース本体１０５の主要部分が成型される。
【０００７】
第１スライドコア１１４ｃと第２スライドコア１１４ｄにより、第１軸受部１０６が成型される。第３スライドコア１１４ｅによりベース本体１０５の所定の部分が成型される。第４スライドコア１１４ｆにより第２軸受部１０７が成型される。従来の光ピックアップ装置のベース部材１０４は、上記のような成型金型１１４を用いて樹脂を成型することによって形成されていた。なお、ベース部材を備えた光ピックアップ装置を開示した文献の一例として特許文献１がある。
【特許文献１】特開２００５−２５９２４７号公報
【発明の開示】
【発明が解決しようとする課題】
【０００８】
近年、光ディスク装置の低価格化を推進する一環として、製造コストの低減が展開されている。ところが、上述した光ピックアップ装置では、ベース部材を成型する成型金型として、４つのスライドコアを含む６つの金型が必要とされていた。そのため、成型金型のコストが比較的高く、このことが光ピックアップ装置の製造コストの低減を阻害する要因の一つであった。
【０００９】
本発明は上記問題点を解決するためになされたものであり、その目的は、製造コストの低減が図られるベース部材を備えた光ピックアップ装置を提供することである。
【課題を解決するための手段】
【００１０】
本発明に係る光ピックアップ装置は、所定の光ディスクに情報を書き込んだり、光ディスクの情報を読み取ったりする光ピックアップ装置であって、ベース本体と主軸受部と副軸受第１部と副軸受第２部とを備えている。ベース本体には所定の光学系部品が搭載される。主軸受部はベース本体の一端側に形成され、光ディスクの径方向に配設される所定の主軸に対し、スライド可能に支持される。副軸受第１部はベース本体の他端側にベース本体から突出するように形成され、主軸と平行に配設される所定の副軸にスライド可能に接触する。副軸受第２部はベース本体の他端側に、ベース本体から突出するとともに副軸受第１部とはスライド方向に位置をずらして形成され、副軸にスライド可能に接触して副軸受第１部とでベース本体のスライド方向と交差する方向の動きを規制する。
【００１１】
この構成によれば、副軸受第２部は、副軸受第１部とはスライド方向に位置をずらして形成されている。これにより、ベース部材を成型する金型としては、ベース本体を実質的に成型する上金型と下金型により副軸受部を成型することができ、上金型および下金型とは別の金型のスライドコアによって副軸受部が成型される従来の金型と比べると、そのようなスライドコアが不要になる。その結果、金型のコストを削減することができ、ひいては、光ピックアップ装置の製造コストの低減を図ることができる。
【００１２】
より具体的に、スライドコアを用いずに上金型および下金型により副軸受を成型するには、副軸受第２部は、副軸受第１部に対して、副軸受第１部と副軸受第２部とのスライド方向の位置が一致した状態から副軸受第１部におけるスライド方向の長さの分だけ位置をずらされていることが好ましく、また、副軸受第１部の先端と副軸受第２の先端とは、開放される態様で繋がらないように形成されていることが好ましい。
【００１３】
特に、副軸受第２部が、副軸受第１部に対して副軸受第１部のスライド方向の長さの分だけ位置をずらされていることで、ベース本体を副軸により安定に支持させることができる。
【００１４】
また、光学系部品は、ベース本体における光ディスク側と光ディスク側とは反対側の双方の側に配設されていてもよい。
【００１５】
この場合には、ベース本体における光ディスク側とその反対側とを上方に向けて光学系部品を搭載する際に、副軸受第１部あるいは副軸受第２部によりベース本体が支持された状態で組立て作業を行なうことができる。
【００１６】
さらに、ベース部材の主軸に対する位置精度を確保するには、主軸受部は筒状であることが好ましい。
【発明を実施するための最良の形態】
【００１７】
本発明の実施の形態に係る光ピックアップ装置について説明する。図１に示すように、ＣＤ（Compact Disc）装置あるいはＤＶＤ装置などの光ディスク装置１には、光ディスク２に記録された情報を読み取ったり、光ディスク２に情報を書き込んだりするための光ピックアップ装置３が配設されている。その光ピックアップ装置３では、一連の光学系部品５が所定のベース部材４に搭載されている。そのベース部材４はガイドレール１３に取付けられて、光ディスク２の径方向（矢印２０）にスライド可能とされる。
【００１８】
図２に示すように、ベース部材４に搭載される光学系部品８には、レーザダイオードなどの発光素子９、その発光素子９から発せられた光を光ディスク２にまで導くミラー１０およびレンズ１１、光ディスク２に照射されて反射した光を受光するフォトダイオードなどの受光素子１２等が含まれる。
【００１９】
その光学系部品８が搭載されるベース部材４についてさらに詳しく説明する。図３、図４および図５に示すように、ベース部材４は、ベース本体５、第１軸受部６および第２軸受部７を備えて構成される。ベース本体５に光学系部品８（図１参照）が搭載される。第１軸受部６はベース本体５の一端側に形成されている。第２軸受部７はベース本体５の他端側に形成されている。ベース部材４のスライド動作を案内するガイドレール１３として、互いに平行に延在する主軸１３ａと副軸１３ｂとがあり、第１軸受６は主軸１３ａに軸支され、第２軸受部７は副軸１３ｂに軸支される。
【００２０】
第１軸受部６は、主軸１３ａに対する位置精度を確保するために筒状に形成されている。第２軸受部７は、副軸１３ｂにそれぞれ接触する副軸受第１部７ａと副軸受第２部７ｂから構成される。副軸受第１部７ａと副軸受第２部７ｂは、ベース本体５の他端側にベース本体５から突出し、先端が開放される態様で繋がらないように形成されている。副軸第１部７ａは光ディスク２の側から副軸１３ｂにスライド可能に接触し、副軸第２部７ｂは光ディスク２とは反対の側から副軸１３ｂにスライド可能に接触している（図１参照）。
【００２１】
こうして、副軸受第１部７ａが副軸１３ｂに対して一方の側から副軸１３ｂに接触し、副軸受第２部７ｂが他方の側から副軸１３ｂに接触することで、ベース本体５のスライド方向と交差する方向の動きが規制されることになる。なお、光学系部品８の一部はベース本体５の裏側にも搭載される。そのため、図６に示すように、ベース部材４を裏側に向けた状態で光学系部品８をベース部材４に取り付け作業を行なう際には、第２軸受部７に挿通される軸１７ｂに副軸受第２部７ｂが接触した状態とされる。このため、副軸受第２部７ｂはベース部材４を保持する役目も担うことになる。
【００２２】
本光ピックアップ装置３では、ベース部材４の副軸受第２部７ｂは、副軸受第１部７ａに対してスライド方向に位置をずらして形成されている。特に、このベース部材４では、図４に示すように、副軸受第２部７ｂは、副軸受第１部７ａに対し、副軸受第１部と副軸受第２部とのスライド方向の位置が一致した状態から副軸受第１部のおよそスライド方向の長さＷの分だけ位置をずらしたところに形成されている。
【００２３】
上述したベース部材４は、樹脂を成型することによって形成される。次に、その成型金型について説明する。図７に示すように、ベース部材を成型する成型金型４は、下金型１４ａ、上金型１４ｂ、第１スライドコア１４ｃ、第２スライドコア１４ｄおよび第３スライドコア１４ｅの５つの金型から構成される。下金型１４ａと上金型１４ｂにより、光学系部品が搭載されるベース本体５の主要部分が成型される。第１スライドコア１４ｃと第２スライドコア１４ｄにより、第１軸受部６が成型される。第３スライドコア１４ｅによりベース本体５の一部が成型される。
【００２４】
上述した光ピックアップ装置３のベース部材４では、副軸受第２部７は、副軸受第１部７ａに対し、副軸受第１部７ａと副軸受第２部７ｂとのスライド方向の位置が一致した状態から副軸受第１部７ａのおよそスライド方向の長さの分だけ位置をずらしたところに位置する。これにより、ベース部材４を成型する金型としては、ベース本体５を実質的に成型する上金型１４ｂと下金型１４ａにより副軸受部７を成型することができ、第４スライドコアによって副軸受部が成型される従来の金型と比べると、そのような第４スライドコアが不要になる。その結果、成型金型１４のコストを削減することができ、ひいては、光ピックアップ装置３の製造コストの低減を図ることができる。
【００２５】
なお、上述した光ピックアップ装置では、副軸受第２部７は、副軸受第１部７ａに対して所定の幅Ｗの分だけ位置をずらしたところに位置する場合を例に挙げて説明したが、上金型と下金型により第２軸受け部を成型することができれば、この寸法に限られない。
【００２６】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００２７】
【図１】本発明の実施の形態に係る光ピックアップ装置を適用したＤＶＤ装置を示す斜視図である。
【図２】同実施の形態において、光ピックアップ装置における光学系を説明するための図である。
【図３】同実施の形態において、ベース部材を示す斜視図である。
【図４】同実施の形態において、図３に示すベース部材の平面図である。
【図５】同実施の形態において、図３に示すベース部材の側面図である。
【図６】同実施の形態において、図３に示すベース部材の機能を説明するための斜視図である。
【図７】同実施の形態において、図３に示すベース部材を成型するための成型金型を示す分解模式斜視図である。
【図８】従来の光ピックアップ装置に使用されるベース部材を示す斜視図である。
【図９】図８に示すベース部材を示す平面図である。
【図１０】図８に示すベース部材の側面図である。
【図１１】図８に示すベース部材の機能を説明するための斜視図である。
【図１２】図８に示すベース部材の機能を説明するための他の斜視図である。
【図１３】図８に示すベース部材を成型するための成型金型を示す分解模式斜視図である。
【符号の説明】
【００２８】
１  光ディスク装置、２  光ディスク、３  光ピックアップ装置、４  ベース部材、５  ベース本体、６  第１軸受部、７  第２軸受部、７ａ  副軸受第１部、７ｂ  副軸受第２部、８  光学系部品、９  発光素子、１０  ミラー、１１  レンズ、１２  受光素子、１３  ガイドレール、１３ａ  主軸、１３ｂ  副軸、１４  成型金型、１４ａ  下金型、１４ｂ  上金型、１４ｃ  第１スライドコア、１４ｄ  第２スライドコア、１４ｅ  第３スライドコア。
【図１】
2008299906.tif 000003
【図２】
2008299906.tif 000004
【図３】
2008299906.tif 000005
【図４】
2008299906.tif 000006
【図５】
2008299906.tif 000007
【図６】
2008299906.tif 000008
【図７】
2008299906.tif 000009
【図８】
2008299906.tif 000010
【図９】
2008299906.tif 000011
【図１０】
2008299906.tif 000012
【図１１】
2008299906.tif 000013
【図１２】
2008299906.tif 000014
【図１３】
2008299906.tif 000015